(57)【要約】【課題】マチ部を有する袋部材の開口部分の上方周囲縁部がめくれにくいプラスチック製の袋部材を提供することである。【解決手段】内側に突出するマチ部２０を各側面部１８に有し、開口部１２を有する袋状に一体形成した形式のプラスチック製の袋部材１０において、開口部１２に沿った上方周囲縁部２２を内側に１回折り込み、折り込んだ部分の、マチ部２０を除く内側下縁部分２６に沿って台紙２４を接合した袋部材が提供される。【選択図】　　　図１
0003098513.tif 000002
【実用新案登録請求の範囲】
【請求項１】
内側に突出するマチ部２０を各側面部１８に有し、開口部１２を有する袋状に一体形成した形式のプラスチック製の袋部材１０において、
開口部１２に沿った上方周囲縁部２２を内側に一回折り込み、折り込んだ部分の、マチ部２０を除く内側下縁部分２６に沿って台紙２４を接合した袋部材。
【請求項２】
台紙２４の下縁部分の一部或は全体を、上方周囲縁部２２の折り込み部分のマチ部２０を除く内側下縁部分２６に沿ってヒートシール技法により接合した請求項１の袋部材。
【請求項３】
上方周囲縁部２２の、マチ部２０を除く内側下縁部分２６に沿って接合した台紙２４を貫いて、手提げ用部品２５を取り付けるための孔１７を設けた請求項１あるいは２の袋部材。
【請求項４】
袋部材１０が、ラミネート処理したポリエチレンあるいはその他同等の軟質プラスチックのチューブ状素材あるいはシート状素材から作製され、台紙２４が袋部材と同質のポリオレフィン系のシート状素材あるいは発泡化した該ポリオレフィン系のシート状素材を加工して作製される請求項１〜３の何れかの袋部材。
【請求項５】
袋部材のチューブ状素材あるいはシート状素材が、ラミネート処理した０．１５μｍの厚さのポリエチレンあるいはポリプロピレンであり、台紙部分のシート状素材が、０．３〜２．０ｍｍの厚さの、前記袋部分のチューブ状素材あるいはシート状素材と同質のポリエチレンあるいはポリプロピレンである請求項４の袋部材。
【請求項６】
台紙２４が下縁部分２６から下方に延びる延長部分３４を有している請求項１〜５の何れかの袋部材。
【請求項７】
台紙２４が上縁部分３６から上方に伸延する一体の手提げ部分３８を有する請求項１〜６の何れかの袋部材。
【考案の詳細な説明】
【０００１】
【考案の属する技術分野】
本考案はショッピングバッグなどの袋部材に関し、詳しくは、そうした袋部材の取り扱い性を向上させるための構造に関する。
【０００２】
【従来の技術】
従来より、例えば代表的には特開平８−２６２９５号公報の図１あるいは実用新案登録公報第３０８８２０８号の図１にそれぞれ記載されるような形態の、所謂ショッピングバッグと称する袋部材が使用されて来ている。
こうした袋部材には、その使用用途や目的に合わせて紙、合成繊維、軟質プラスチックその他様々の素材を使用し、且つこれら素材を組み合わせて一体的な袋状としたものがあり、特に、軟質プラスチック製のものは耐久性が高いこと及び透明あるいは半透明のプラスチック素材を使用することが可能な点で、紙製その他素材製のものよりも多目的に用いることができる特徴がある。
【０００３】
図５に例示するように、これらの従来のプラスチック製の袋部材１の側面部３には、その他の素材製の袋部材と同様に、袋部材の容量を確保するため及び使用しない袋部材を省スペース的に収納するためのマチ部５が、袋部材の上部から底部にかけて袋の内側に向けて折り込むように折り目付けして形成される。また袋部材の開口部７の付近には、様々の素材から形成した手提げ用の、例えばひも部材９等が取り付けられるようになっている。
そしてこのひも部材９を取り付ける開口部に沿った上方周囲縁部１１を補強するために、上方周囲縁部１１は図６に示すように袋の内側に帯状に少なくとも２回折り込み、折り込んだ帯状部分どうしの内側に空間１３を創り、この空間１３内に厚紙あるいはプラスチック薄板などから作製した比較的丈夫な台紙１５が挟み込まれるようになっている。
【０００４】
しかし、従来こうした厚紙あるいはプラスチック薄板などの比較的丈夫な台紙１５は、開口部に沿った上方周囲縁部１１を少なくとも２回折り込ん創った空間１３内に単に配置されるだけで特に固定はされないので、上方周囲縁部１１は素材自体がカールすることなどにもよって全体的に幅厚となっている。
【０００５】
この折り込み部分の厚さは、マチ部以外の部分では、例えば手提げ用に取り付けたひもやハッピータック（商標名）などが取り付けられることで開口部７の内側から外側に引き寄せられてある程度薄くなる場合もあるが、マチ部３では厚いままであるので、袋から中身を取り出す際などにそれら中身の一部がこのマチ部の厚い折り込み部分に引っ掛かりやすく、マチ部がめくれることがある。マチ部の折り込み部分がめくれると、マチ部以外の折り込み部分も引っ張られてめくれてしまうことがあり、その影響で手提げの取り付け部分で台紙が折れ、結局は袋部材が変形してしまうこともある。
【０００６】
【特許文献１】
特開２００３−３５５３３１号公報
【特許文献２】
特開２００３−０２６１８６号公報
【特許文献３】
特開平８−０２６２９５号公報
【特許文献４】
登録実用新案第３０８８２０８号公報
【特許文献５】
登録実用新案第３０３３４６３号公報
【特許文献６】
登録実用新案第３０２８８０５号公報
【０００７】
【考案が解決しようとする課題】
従って、本考案が解決しようとする課題は、マチ部を有する袋部材の開口部分の上方周囲縁部がめくれにくいプラスチック製の袋部材を提供することである。
【０００８】
【課題を解決するための手段】
本考案によれば、内側に突出するマチ部２０を各側面部１８に有し、開口部１２を有する袋状に一体形成した形式のプラスチック製の袋部材１０において、
開口部１２に沿った上方周囲縁部２２を内側に１回折り込み、折り込んだ部分の、マチ部２０を除く内側下縁部分２６に沿って台紙２４を接合した袋部材が提供される。
【０００９】
本考案の１実施例では台紙２４の下縁部分の一部或は全体が、上方周囲縁部２２の折り込み部分のマチ部２０を除く内側下縁部分２６に沿ってヒートシール技法により接合される。
【００１０】
他の実施例では上方周囲縁部２２の、マチ部２０を除く内側下縁部分２６に沿って接合した台紙２４を貫いて、手提げ用部品２５を取り付けるための孔１７が設けられる。
【００１１】
また、袋部材１０は、ラミネート処理したポリエチレンあるいはその他同等の軟質プラスチックのチューブ状素材あるいはシート状素材から作製され、台紙２４が袋部材と同質のポリオレフィン系のシート状素材あるいは発泡化した該ポリオレフィン系のシート状素材を加工して作製される。
【００１２】
袋部材のチューブ状素材あるいはシート状素材は、ラミネート処理した０．１５μｍの厚さのポリエチレンあるいはポリプロピレンであり、台紙部分のシート状素材が、０．３〜２．０ｍｍの厚さの、前記袋部分のチューブ状素材あるいはシート状素材と同質のポリエチレンあるいはポリプロピレンとされる。
【００１３】
更に他の実施例では台紙２４は下縁部分２６から下方に延びる延長部分３４を有し、あるいは、台紙２４が上縁部分３６から上方に伸延する一体の手提げ部分３８を有する。
【００１４】
【考案の実施の形態】
以下、本考案の実施例を図面を参照して説明する。
図１は本考案の１実施例としての袋部材１０の部分斜視図を示すものである。袋部材１０は、上縁部位置で略四角形状に開口する開口部１２と、例えば任意の意匠及び模様などが必要に応じて印刷される前面部１４及び後面部１６（便宜上“前”及び“後”の各面部とされるが特に前後を特定するものではない）と、同様に任意の意匠あるいは模様などを印刷することのできる、これらの前面部及び後面部を繋ぐ側面部１８とを有している。
【００１５】
本実施例では袋部材１０はラミネート処理したポリエチレンあるいはその他同等の軟質プラスチックのチューブ状素材あるいはシート状素材から作製され、台紙部分が袋部材と同質のポリオレフィン系のシート状素材あるいは発泡化した該ポリオレフィン系のシート状素材を加工して作製される。
【００１６】
また、袋部分のチューブ状素材あるいはシート状素材は、ラミネート処理した０．１５μｍの厚さのポリエチレンあるいはポリプロピレンから作製され、台紙部分のシート状素材は０．３〜２．０ｍｍの厚さの、前記袋部分のチューブ状素材あるいはシート状素材と同質のポリエチレンあるいはポリプロピレンから作製される。
【００１７】
各側面部１８は、袋部材１０の内側に折り込まれるよう、この側面部の幅寸法の略中央位置に沿って上縁部から底部に向けて折り目付けされることによりマチ部２０を構成し、袋部材の上縁部の開口部１２に沿った、このマチ部２０を含む上方周囲縁部は開口部１２の内側に従来のように内側に折り込まれて折り込み縁部２２が形成されるが、本考案ではこの折り込みは従来とは異なり、単に１回のみ折り込まれる。
【００１８】
袋部材の開口部１２の、前面部１４及び後面部１６に沿った折り込み縁部２２には手提げ用のひもあるいはハッピータック（商標名）などの部品が、適宜に形成した孔１７等を介して取り付けられ、また従来と同様に折り込み縁部２２を補強するために、先に説明したような例えば０．３〜２．０ｍｍの厚さの、前記袋部分のチューブ状素材あるいはシート状素材と同質のポリエチレンあるいはポリプロピレンから形成した台紙２４が配置される。しかしながら本考案ではこの台紙２４は従来のように挟み込まれるのではなく、折り込み縁部２２に接合される。
【００１９】
台紙２４は、例えばヒートシールなどの技法を使用することにより、台紙の下縁部分２６の一部あるいは全部が折り込み縁部２２の内側の下縁部分２８に接合される。これにより、折り込み縁部２２の厚さは、従来のように折り込み縁部を少なくとも２回内側に折り込む場合よりも薄くなり、しかも台紙２４を接合することによって機械的強度も高くなる。
【００２０】
また、マチ部１８の折り込み縁部２２の厚さも同様に薄くなるために、袋から中身を取り出す際の引っ掛かりが生じにくくなり、一方、マチ部以外の折り込み縁部の機械的強度が高くなっていることから、例えマチ部の折り込み縁部がめくれても、前面部１４や後面部１６の前折り込み縁部２２はめくれにくくなり、従来生じていたような袋部材の変形といった問題も同様に防止されるようになる。
【００２１】
以上、本考案を実施例を参照して説明したが、本考案の内で種々の変更をなし得ることを理解されたい。例えば、本明細書では袋部材の折り込み縁部にひも部材あるいはハッピータックなどの手提げ用部材を取り付けるものとして説明したが、本考案の袋部材はそうしたひも部材等を取り付けない、あるいは開口部の折り込み縁部などに指を通す孔などを設けたものとすることもできる。また袋部材は紙製のものであっても良い。
【００２２】
また、袋部材１０の素材の厚さを、必要に応じて０．１５μｍ以外の任意の厚さとし、台紙２４の素材の厚さを必要に応じて０．３〜２．０ｍｍ以外の厚さとすることもできる。
更には、台紙２４は、図３に示すように下縁部分２６から下方に更に延長させ、例えば、図示されるようにハンガー３０等を吊すことのできるような穴３２を開けたタブ３４を持つ台紙１２４、あるいは図４に示すように、上縁部分３６を部分的に上方に伸ばし、台紙と一体型の手提げ部分３８を形成したような台紙２２４とすることもできる。
【００２３】
【考案の効果】
マチ部を有する袋部材の開口部分の上方周囲縁部の折り込み部分がめくれにくいプラスチック製の袋部材が提供される。
また、従来よりも上方周囲縁部の折り込み回数を少なくした分、素材量が低減されたプラスチック製の袋部材が提供される。
更には、上方周囲縁部の下縁に沿って台紙を接合したことで、従来製品よりも上方周囲縁部の強度が高く且つ台紙を様々に変形させる自由度の高いプラスチック製の袋部材が提供される。
【図面の簡単な説明】
【図１】本考案の袋部材の部分斜視図である。
【図２】図１の袋部材を線Ａ−Ａで切断した断面図である。
【図３】本考案の他の実施例の袋部材の部分斜視図である。
【図４】本考案の更に他の実施例の袋部材の部分斜視図である。
【図５】従来の代表的なショッピングバッグの部分斜視図である。
【図６】図５を線Ａ−Ａに沿って切断した断面図である。
【符号の説明】
１０　袋部材
１２　開口部
１４　前面部
１６　後面部
１７　孔
１８　側面部
２０　マチ部
２２　折り込み縁部
２４、１２４、２２４　台紙
２５　手提げ用部品
２６　下縁部分
３４　延長部分
３６　上縁部分
３８　手提げ部分
【図１】
0003098513.tif 000003
【図２】
0003098513.tif 000004
【図３】
0003098513.tif 000005
【図４】
0003098513.tif 000006
【図５】
0003098513.tif 000007
【図６】
0003098513.tif 000008